(57)【特許請求の範囲】
【請求項１】
導電材料からなる基板と、
前記基板に沿って該基板上に電気絶縁層を介して設けられた読取用配線と、
前記読取用配線に沿って前記基板上に電気絶縁層を介して設けられた書込み用配線と、
前記基板の前記読取用配線と前記書込み用配線との間においてこれらの配線に沿って形成され前記基板を読取用配線側の第１の部分と書込み用配線側の第２の部分とに分けるスリットと、
を具備したことを特徴とするディスクドライブ用サスペンションの配線部材。
【請求項２】
前記スリットが前記書込み用配線よりも前記読取用配線に近い位置に形成されていることを特徴とする請求項１記載の配線部材。
【請求項３】
前記基板がスライダを搭載する配線付きフレキシャの基板であることを特徴とする請求項１または２記載の配線部材。
【請求項４】
前記基板の一部に前記第１の部分と前記第２の部分とを互いに接続する接続部が設けられていることを特徴とする請求項１ないし３のうちいずれか１項記載の配線部材。
【請求項５】
前記読取用配線の長手方向の一部分が前記スリットを横切って前記第１の部分と前記第２の部分とにわたって設けられ、かつ、前記読取用配線が前記第１の部分と前記第２の部分の双方に固定されていることを特徴とする請求項１ないし４のうちいずれか１項記載の配線部材。
【発明の詳細な説明】
【０００１】
【発明の属する技術分野】
この発明は、例えばパーソナルコンピュータ等の情報処理装置に内蔵されるディスクドライブ用サスペンションの配線部材に関する。
【０００２】
【従来の技術】
回転する磁気ディスクあるいは光磁気ディスク等に情報を記録し再生するためのハードディスクドライブ（ＨＤＤ）は、軸を中心に旋回可能なキャリッジを有している。このキャリッジは、ポジショニング用モータによって、前記軸を中心に旋回駆動される。キャリッジは、アーム（アクチュエータアーム）と、このアームの先端部に設けたサスペンションと、サスペンションに取付けたスライダを含むヘッド部などを備えている。
【０００３】
ディスクが回転するとサスペンション先端部のスライダがディスク表面から僅かに浮上するとともに、ディスクとスライダとの間にエアベアリングが形成される。このサスペンションは、ベースプレートを含むベース部と、精密な薄板ばねからなるロードビーム部と、このロードビーム部にレーザ溶接等によって固定されるフレキシャ（flexure）などからなる。
【０００４】
フレキシャは、要求される仕様に応じて様々な形状に成形される。その一例として、ロードビーム部に沿ってロードビーム部の長手方向に延びる基板の表面に配線部を設けた配線付きフレキシャが開発されている。配線付きフレキシャは、きわめて薄い板状のステンレス鋼からなる基板と、この基板上に設けられた読取用配線と、書込み用配線などを含んでいる。これらの配線と基板との間には、例えばポリイミド等の電気絶縁材料からなる電気絶縁層が設けられている。
【０００５】
この配線付きフレキシャの読取用配線と書込み用配線のそれぞれの一端は、フレキシャの先端部に設けたスライダの端子に電気的に接続される。読取用配線と書込み用配線のそれぞれの他端は、例えばアクチュエータアームに近い部分に設けた端子に接続される。
【０００６】
【発明が解決しようとする課題】
前記のような配線付きフレキシャを備えたサスペンションにおいて、前記電気絶縁層が薄くなればなるほど、基板と読取用配線との間、あるいは基板と書込み用配線との間の絶縁距離がますます小さくなる。
【０００７】
このため、比較的大きな電流が流れる書込み用配線から読取用配線に向かってノイズの原因となる電流が漏れることが考えられる。また、書込み用配線以外の部位から種々の迷走電流（例えばループ状の渦電流など）が読取用配線に侵入することにより、いわゆるクロストーク（cross talk）と呼ばれる混信が発生し、正規の信号を伝達する上で障害になる可能性がある。
【０００８】
書込み用配線から基板に電流が漏れることを抑制する一手段として、書込み用配線の裏側の基板（導電材料）の一部を除去することが考えられる。しかしそのようにしたとしても、読取用配線には基板を介して書込み用配線以外から種々の迷走電流が侵入することがあるため、根本的な解決策にはなりえない。
【０００９】
一方、読取用配線の裏側の基板の一部を除去することも考えられる。しかしその場合、読取用配線の裏側に導電材料（グランド面）が存在しなくなるため、この配線の裏側に導電材料が存在する場合に比較してインピーダンスが高くなり、この配線に接続される電気部品とのインピーダンス整合をとることが困難となるため、信号のひずみが大きくなるという問題が生じる。
【００１０】
従ってこの発明の目的は、読取用配線のインピーダンス整合を確保しつつ、クロストーク特性が向上するディスクドライブ用サスペンションの配線部材を提供することにある。
【００１１】
【課題を解決するための手段】
前記目的を果たすための本発明の配線部材は、例えばステンレス鋼などの導電材料からなる基板と、前記基板に沿って該基板上に電気絶縁層を介して設けられた読取用配線と、前記読取用配線に沿って前記基板上に電気絶縁層を介して設けられた書込み用配線と、前記基板の前記読取用配線と前記書込み用配線との間においてこれらの配線に沿って形成され前記基板を読取用配線側の第１の部分と書込み用配線側の第２の部分とに分けるスリットとを具備している。
【００１２】
本発明において、好ましくは前記スリットが前記書込み用配線よりも前記読取用配線に近い位置に形成されている。基板の一例は、スライダを搭載する配線付きフレキシャの基板である。また前記基板の一部に、前記第１の部分と前記第２の部分とを互いに接続する接続部が設けられていてもよい。さらに本発明において、前記読取用配線の長手方向の一部分が前記スリットを横切って前記第１の部分と前記第２の部分とにわたって設けられ、かつ、前記読取用配線が前記第１の部分と前記第２の部分の双方に固定されていてもよい。
【００１３】
【発明の実施の形態】
以下に本発明の第１の実施形態について、図１から図４を参照して説明する。図３に示すディスクドライブ用サスペンション１０は、ベースプレート１１を含むベース部１２と、ベース部１２からサスペンション１０のヘッド部１３の方向に延びるロードビーム部１４と、ロードビーム部１４に取付ける配線付きフレキシャ１５などを備えている。配線付きフレキシャ１５はこの発明で言う配線部材の一例である。ベース部１２は、ディスクドライブのアクチュエータアーム（図示せず）に固定される。
【００１４】
図１と図４に示すように、配線付きフレキシャ１５は、ロードビーム部１４よりも薄いばね性を有する導電材料（例えばステンレス鋼の圧延材）からなる基板（substrate）２０を備えている。基板２０の厚さは、例えば２０μｍ前後である。ロードビーム部１４の厚さは例えば１００μｍ前後である。基板２０上に、ポリイミドなどの合成樹脂からなる電気絶縁層２１が形成されている。
【００１５】
電気絶縁層２１の上には、基板２０に沿って少なくとも一対の読取用配線２２と、これら読取用配線２２に沿って、少なくとも一対の書込み用配線２３が設けられている。これらの配線２２，２３は銅などの導電材料からなり、電気絶縁層２１の上に積層された薄い銅板をエッチングすること、あるいは銅層をメッキによって形成することなどにより、所望の配線パターンとなるように形成されている。各配線２２，２３は電気絶縁層２１を介して基板２０に固定されている。
【００１６】
基板２０の先端部にフレキシャ１５の厚み方向に撓むことのできる一対のアウトリガー部１５ａと、アウトリガー部１５ａによって支持されたタング部１５ｂが形成されている。タング部１５ｂには、ヘッド部１３を構成するスライダ１６（図３に２点鎖線で示す）が装着される。またこの基板２０は、ベース部１２の方向に延びる延出部１５ｃを有している。
【００１７】
スライダ１６には、例えばＭＲ素子などのように電気信号と磁気信号とを相互に変換可能な磁電変換素子が設けられている。この磁電変換素子によって読取られたディスクの記録データは電気信号に変換され、読取用配線２２を介してデータ処理回路（図示せず）に伝送される。データをディスクに記録する際には、記録すべきデータの電気信号が、上記データ処理回路から書込み用配線２３を介して上記磁電変換素子に伝送される。
【００１８】
フレキシャ１５の基板２０は、ロードビーム部１４の厚み方向に重ねた状態でロードビーム部１４に取付けられている。例えばこの基板２０は、アウトリガー部１５ａとタング部１５ｂを除いた箇所において、レーザ溶接等によってロードビーム部１４に固定される。
【００１９】
読取用配線２２の一端２２ａと、書込み用配線２３の一端２３ａは、それぞれフレキシャ１５の基部１５ｄに形成された端子３０，３１に接続されている。読取用配線２２の他端２２ｂと、書込み用配線２３の他端２３ｂは、それぞれタング部１５ｂに設けられた端子３２，３３に接続されている。これらの端子３２，３３は、スライダ１６が備える前記磁電変換素子の端子部に、ワイヤボンディング等によって電気的に接続される。
【００２０】
図２と図４などに示すように、読取用配線２２と書込み用配線２３との間に、読取用配線２２に沿ってスリット４０が形成されている。このスリット４０は、例えばエッチングによって形成され、好ましくは書込み用配線２３よりも読取用配線２２に近い位置に形成されている。このスリット４０によって、基板２０は読取用配線２２側に位置する第１の部分４１と、書込み用配線２３側に位置する第２の部分４２とに分断されている。
【００２１】
図１に示すように、読取用配線２２の長手方向の一部分２２ｃがスリット４０の端部４０ａの近傍を横切ることにより、第１の部分４１と第２の部分４２の双方にわたっている。ここで読取用配線２２は第１の部分４１と第２の部分４２の双方に固定されているため、読取用配線２２の一部分２２ｃを介して第１の部分４１と第２の部分４２が互いにつながった状態となっている。第１の部分４１と第２の部分４２に、ロードビーム部１４に対するフレキシャ１５の位置決めをなす際などに使用する位置決め孔４５，４６が形成されている。
【００２２】
この実施形態の配線付きフレキシャ１５は、読取用配線２２の近傍にこの配線２２に沿ってスリット４０が形成されているため、クロストーク等の雑音の原因となる迷走電流が書込み用配線２３などから読取用配線２２に侵入してくることを抑制できる。しかも読取用配線２２の裏側に導電材料である基板２０が存在するから、読取用配線２２と、この配線２２が接続される他の電気部品（例えばヘッド部１３に設ける磁電変換素子）とのインピーダンス整合をとることができ、伝送すべき信号がひずむなどの不具合を抑制することができる。
【００２３】
なお図５に示す本発明の第２の実施形態のように、基板２０の一部に第１の部分４１と第２の部分４２を互いに接続する接続部５０を設けてもよい。それ以外の構成は第１の実施形態のサスペンション１０と同様である。この第２の実施形態では、スリット４０の一端側に形成された接続部５０によって第１の部分４１と第２の部分４２が接続されるとともに、スリット４０の他端側においては、図３に示す配線付きフレキシャ１５と同様に、第１の部分４１と第２の部分４２が読取用配線２２の一部分２２ｃによってつながれている。
【００２４】
このため第１の部分４１と第２の部分４２との相対位置をさらに正確に規制することが可能となり、２個所の位置決め孔４５，４６の相対位置も正確に決まるため、ロードビーム部１４に対するフレキシャ１５の位置決めを正確に行う上で有利である。なお、基板２０の一部である接続部５０は、基板２０に生じるループ状の渦電流を抑制するために１箇所のみに設けるとよい。
【００２５】
またこの発明は、配線付きフレキシャ以外の配線部材にも適用することができる。これらの実施形態をはじめとして、この発明を実施するに当たり、配線部材や基板の形状、読取用配線および書込み用配線、スリット、基板の第１の部分および第２の部分の形態など、この発明の構成要素をこの発明の要旨を逸脱しない範囲で種々に変更して実施できることは言うまでもない。
【００２６】
【発明の効果】
請求項１に記載した発明の配線部材によれば、読取用配線とこの読取用配線が接続される電気部品とのインピーダンス整合を確保できるとともに、読取用配線に書込み用配線やそれ以外の部位から迷走電流が入り込むことを抑制でき、クロストーク特性を向上させることができる。
請求項２に記載した発明によれば、読取用配線の近傍にスリットを形成したことにより、読取用配線に迷走電流が入り込むことをさらに効果的に抑制できる。
【００２７】
請求項３に記載した発明によれば、配線付きフレキシャの基板において、読取用配線が接続される電気部品と読取用配線とのインピーダンス整合を確保できるとともに、読取用配線に書込み用配線やそれ以外の部位から迷走電流が入り込むことを抑制でき、クロストーク特性を向上させることができる。
【００２８】
請求項４に記載した発明によれば、基板の一部に前記第１の部分と第２の部分とを互いに接続する接続部を設けたことにより、これら第１の部分と第２の部分の相対位置を正確に規制することができる。
請求項５に記載した発明によれば、スリットを横切る読取用配線の一部分を利用して前記第１の部分と第２の部分とを機械的につなぐことができる。
【図面の簡単な説明】
【図１】  本発明の第１の実施形態を示す配線部材の平面図。
【図２】  図１に示された配線部材の基板の平面図。
【図３】  図１に示された配線部材を備えたディスクドライブ用サスペンションの平面図。
【図４】  図１中のＦ４−Ｆ４線に沿う配線部材の断面図。
【図５】  本発明の第２の実施形態を示す配線部材の基板の一部の平面図。
【符号の説明】
１０…ディスクドライブ用サスペンション
１５…配線付きフレキシャ（配線部材）
１６…スライダ
２０…基板
２１…電気絶縁層
２２…読取用配線
２３…書込み用配線
４０…スリット
４１…第１の部分
４２…第２の部分
５０…接続部
【図１】
0004312968.tif 000002
【図２】
0004312968.tif 000003
【図３】
0004312968.tif 000004
【図４】
0004312968.tif 000005
【図５】
0004312968.tif 000006